(57)【特許請求の範囲】
【請求項１】
送信側で、
固定長のインターフレームギャップ（ＩＦＧ：Ｉｎｔｅｒ  Ｆｒａｍｅ  Ｇａｐ）を挟むように固定長のパケット部を複数並べ、基準クロックに基づき、前記パケット部に信号を格納するパケット多重処理を行い送信した前記伝送フレームを、
受信側で、
バッファに一時的に保管する際に、
前記バッファの保管量が所定範囲に収まるように前記伝送フレームの前記ＩＦＧを挿抜するとともに、前記ＩＦＧの挿抜情報に基づき、周波数を制御して受信側の基準クロックを前記送信側の基準クロックに同期させる基準クロック復元方法。
【請求項２】
前記ＩＦＧの挿抜情報が、挿抜が生じた前記ＩＦＧ直前の前記パケット部から次の挿抜が生じた前記ＩＦＧ直前の前記パケット部までの前記パケット部の数を用いて近似した前記ＩＦＧの挿抜が生じる時間間隔であることを特徴とする請求項１に記載の基準クロック復元方法。
【請求項３】
固定長のインターフレームギャップ（ＩＦＧ：Ｉｎｔｅｒ  Ｆｒａｍｅ  Ｇａｐ）を挟むように固定長のパケット部を複数並べて伝送フレームを生成する伝送フレーム生成部と、
基準クロックに基づき、前記伝送フレーム生成部が生成した前記伝送フレームの前記パケット部に信号を格納するパケット多重処理を行い、前記パケット部に信号を格納した前記伝送フレームを送信するパケット入替え部と、
を備えるパケット多重装置。
【請求項４】
前記パケット入替え部は、前記信号の伝送レートに基づき前記信号の格納対象とする前記パケット部の数を決定することを特徴とする請求項３に記載のパケット多重装置。
【請求項５】
請求項３又は４に記載のパケット多重装置からの前記伝送フレームを物理層のバッファに一時的に保管し、前記バッファの保管量が所定範囲に収まるように前記伝送フレームの前記ＩＦＧが前記物理層のバッファにて挿抜された箇所を、パケット間隔を測定することにより検出するパケット揺らぎ検出部と、
前記パケット揺らぎ検出部が出力する前記ＩＦＧの挿抜情報に基づき、周波数を制御して基準クロックを前記パケット多重装置の基準クロックに同期させるクロック制御部と、
クロック制御部が制御している基準クロックを用いて、前記バッファから出力された前記伝送フレームの前記パケット部から格納されている信号を取り出し、前記信号の種別毎に出力する出力先切替部と、
を備えるパケット分離装置。
【請求項６】
前記クロック制御部は、挿抜が生じた前記ＩＦＧ直前の前記パケット部から次の挿抜が生じた前記ＩＦＧ直前の前記パケット部までの前記パケット部の数を用いて近似した前記ＩＦＧの挿抜が生じる時間間隔を前記ＩＦＧの挿抜情報としていることを特徴とする請求項５に記載のパケット分離装置。
【請求項７】
請求項３又は４に記載のパケット多重装置と、
請求項５又は６に記載のパケット分離装置と、
を含む伝送システム。
【発明の詳細な説明】
【技術分野】
【０００１】
本発明は、送信側が一つの伝送媒体を用いて基準クロックを用いて複数種類の信号を同時に伝送する伝送システム、その基準クロック復元方法、伝送システムのパケット多重装置、及び伝送システムのパケット分離装置に関するものである。
【背景技術】
【０００２】
デジタル映像信号、音声信号、データ信号をエラーが発生しうる環境で取り扱うことを想定した通信システムや多チャンネルデジタル放送等の放送システムのような伝送路を介して送受信する場合、一般的にＭＰＥＧ（Ｍｏｖｉｎｇ  Ｐｉｃｔｕｒｅ  Ｅｘｐｅｒｔｓ  Ｇｒｏｕｐ）−２  Ｓｙｓｔｅｍｓと呼ばれる規格が用いられる（例えば、非特許文献１を参照。）。ＭＰＥＧ−２  Ｓｙｓｔｅｍｓでは、パート１において映像の符号化、パート３において音声の符号化、そしてパート１において、パート２、パート３の信号を多重伝送した場合に、受信された信号が同期をとって再生できるような、多重符号化方式が規格化されている。信号のデータ容量が大きな映像信号の符号化に関して言えば、容量を削減するために、元の映像デジタルデータを圧縮するＭＰＥＧ方式（ＭＰＥＧ−１：ＩＳＯ／ＩＥＣ  １１１７２、ＭＰＥＧ−２：ＩＳＯ／ＩＥＣ  １３８１８）に加えて、最近ではＨ．２６４／ＡＶＣ方式（ＩＳＯ／ＩＥＣ  １４４９６−１０）も実用化されている。
【０００３】
これらの圧縮された映像信号・音声信号・データ信号等のデジタル信号は、ＭＰＥＧ−２  Ｓｙｓｔｅｍｓにおいて規定されている４バイトのヘッダが付加された１８８バイトの固定長を有するＴＳ（Ｔｒａｎｓｐｏｒｔ  Ｓｔｒｅａｍ）パケットに格納され配信される。デジタル放送システムにおいては、更に１６バイトのリードソロモン符号によるＦＥＣ（Ｆｏｒｗａｒｄ  Ｅｒｒｏｒ  Ｃｏｒｒｅｃｔｉｏｎ）が施された合計２０４バイトのＴＳパケットが用いられている。
【０００４】
ＴＳパケットには圧縮された映像・音声デジタル信号のほかに、データ信号、番組編成情報やＰＣＲ（Ｐｒｏｇｒａｍ  Ｃｌｏｃｋ  Ｒｅｆｅｒｅｎｃｅ）などの制御信号も格納される。
【０００５】
デジタル放送では、ＰＣＲ値とＰＣＲが格納されているＴＳパケットの時間間隔を用いて、送信側符号部の基準クロックである２７ＭＨｚのＳＴＣ（Ｓｙｓｔｅｍ  Ｔｉｍｅ  Ｃｌｏｃｋ）に受信側復号部のＳＴＣを同期させている。ここでＰＣＲは４２ビットからなり、２７ＭＨｚでカウントされたカウンタ値で構成されている。
【０００６】
ＭＰＥＧ−２  Ｓｙｓｔｅｍｓでは、受信側復号器のＰＬＬ（Ｐｈａｓｅ  Ｌｏｃｋ  Ｌｏｏｐ）が正しく動作し、ＳＴＣの同期を安定させるため、ＰＣＲの送信間隔を１００ｍｓｅｃ以下、ジッタが５００ｎｓｅｃ以内とするように規定されている。
【０００７】
ところで、ＩＰＴＶのようなＩＰ（Ｉｎｔｅｒｎｅｔ  Ｐｒｏｔｏｃｏｌ）網上でＴＳパケットを伝送する場合、伝送効率向上のため、一つのＩＰパケットに複数のＴＳパケットを格納し伝送することが行われる。このとき、格納前にＴＳパケット間に存在していた無効データは削除されるため、ＴＳパケット間の時間間隔情報は消滅してしまう。このため、ＴＳパケット間の時間間隔情報を復元させることを目的として、ＴＳパケット格納時に、ＳＴＣの２７ＭＨｚクロックでカウントされた線形な３２ｂｉｔカウンタ値を４バイトタイムスタンプとしてＴＳパケットに付与したＴＴＳ（Ｔｉｍｅ−ｓｔａｍｐｅｄ  ＴＳ）が標準化されている（例えば、非特許文献２を参照。）。
【０００８】
一方、ＩＰ網においては、輻輳によりＩＰパケット到着時間間隔に揺らぎが発生する。さらに、ＩＰ網は非同期であるため、網内の装置においてそれぞれ異なった処理クロックが用いられる。各装置においては異なる処理クロックを吸収するために、ＩＰパケット間のＩＦＧ（Ｉｎｔｅｒ  Ｆｒａｍｅ  Ｇａｐ）を挿抜することが行われる。よって、ＩＰ網においては、ＩＦＧの挿抜によってもＩＰパケット間隔の揺らぎが発生することになる。
【０００９】
このように、通常用いられるＩＰ網においては、ＩＰパケット間隔を保持して伝送することは困難である。従って、通常のＴＳパケットをＩＰ網で配信するにはＩＰパケット間隔の揺らぎが発生するので、正しく映像、音声及びデータ信号を再生することが困難である。
【００１０】
しかしながら、適応クロック法を用いれば、ＩＰパケットの時間間隔は保存することができる（例えば、非特許文献３を参照。）。これは、以下に述べる方法で行われる。すなわち、送信側装置の処理クロック周波数でカウントしたタイムスタンプをＩＰパケット内に格納し送信する。ＩＰ網を伝送されてきたパケット間隔の揺らいだＩＰパケットは、受信側装置にバッファリングされ、揺らぎが吸収される。そしてＩＰパケット内に格納されたタイムスタンプのカウンタ値に基づき受信側装置の処理クロック周波数を送信側装置の処理クロック周波数に適応させることにより、送信側装置と受信側装置とを同期させることができる。このとき、送信側装置のクロックとタイムスタンプにより再生された受信側装置のクロックの周波数が異なる場合、バッファの容量が増減する。受信側装置において、バッファの容量が一定になるように、タイムスタンプによりカウントされた再生クロック周波数を調整することにより、送信側装置のクロックと同期することが可能となる。
【００１１】
ＩＰ網上でＴＳパケットを復元するためには、ＩＰパケット時間間隔を保存した後、ＩＰパケットをバッファリングし、ＩＰパケット内に格納されているＴＳパケットを入力時の時間情報に基づいたクロックでバッファ内のＩＰパケットから出力することが必要である。
【００１２】
この場合においてもＴＳパケットに対する適応クロック法を用いることにより、送信側装置の処理クロックに受信側装置の処理クロックを同期させることが可能である。
【００１３】
具体的には、送信側装置において、ＴＳパケットにはＳＴＣのクロック周波数と同期した処理クロックを用いてカウントされたタイムスタンプ値が付与されＴＴＳパケットとしてＩＰパケットに格納される。そのＴＴＳパケットは受信側装置でバッファリングされる。そしてＴＴＳパケット内に格納されたタイムスタンプのカウンタ値に基づき受信側装置の処理クロック周波数を送信側装置の処理クロック周波数に適応させることにより、送信側装置と受信側装置とを同期させることが出来る。このとき、送信側装置のクロックと、タイムスタンプにより再生された受信側装置のクロックの周波数が異なる場合、バッファの容量は増減する。受信側装置においてバッファの容量が一定になるように、タイムスタンプによりカウントされた再生クロック周波数を調整することにより、受信側装置の処理クロックは送信側装置の処理クロックと同期することが可能となる。
【００１４】
適応クロック法は一つのＩＰまたはＴＳパケットストリームに対して行われるものであるため、適応クロック法を用いて複数の映像、音声及びデータ信号を多重して伝送するような複数のＴＳパケットストリームのクロック再生する場合においては、各ストリームを分離して後、それぞれの受信側装置や復号器において適応クロック同期を行う必要がある。
【００１５】
従って、図１に示すように一つの基準クロック２０３を有する放送局が複数の符号器２０２により複数の映像、音声及びデータ信号を伝送する場合、送信側２００は基準クロック２０３より生成したＳＴＣを全ての符号器２０２に用いることになるため、受信側２５０は適応クロック法により対応する復号器２５２で同一のＳＴＣが再生される。図１で、レイヤ２スイッチ２０５は、パケットに宛先情報として含まれるＭＡＣ（Ｍｅｄｉａ  Ａｃｃｅｓｓ  Ｃｏｎｔｒｏｌ）アドレスで中継先を判断し、中継動作を行う。
【先行技術文献】
【非特許文献】
【００１６】
【非特許文献１】ＩＳＯ／ＩＥＣ  １３８１８−１
【非特許文献２】ＡＲＩＢ  ＳＴＤ−Ｂ２４  第二編
【非特許文献３】Ｒ．Ｐ．Ｓｉｎｇｈ，  Ｓ．Ｈ．Ｌｅｅ，  “Ａｄａｐｔｉｖｅ  ｃｌｏｃｋ  ｓｙｎｃｈｒｏｎｉｚａｔｉｏｎ  Ｓｃｈｅｍｅｓ  ｆｏｒ  ｒｅａｌ−ｔｉｍｅ  ｔｒａｆｆｉｃ  ｉｎ  ｂｒｏａｄｂａｎｄ  ｐａｃｋｅｔ  ｎｅｔｗｏｒｋｓ”  ｉｎ  Ｐｒｏｃ．  ８ｔｈ  Ｅｕｒｏｐｅａｎ  Ｃｏｎｆ．  ｏｎ  Ｅｌｅｃｔｒｏｔｅｃｈｎｉｃｓ，  １９８８，  ｐｐ８４−８８．
【発明の概要】
【発明が解決しようとする課題】
【００１７】
しかし、適応クロック法は、伝送される全ての映像、音声及びデータ信号のＴＳパケットストリームを分離した後、伝送されるストリーム本数分の各復号器にてクロックを復元するため、受信側に複数ストリーム本数の復号器が必要になるなど受信側の構成が冗長になるという課題があった。この傾向は流れるストリーム数が多くなるほど顕著になる。
【００１８】
さらに、適応クロック法は、バッファリングを行うため、遅延が生じ、映像のリアルタイム性を損なうという課題もある。
【００１９】
そこで、上記課題を解決するために、本発明は、ＴＳパケットを配信網の上流にあるＨＥ（Ｈｅａｄ−Ｅｎｄ）からブロードキャストし、通常のＩＰ網のような輻輳による揺らぎが発生せず、かつ、輻輳以外の揺らぎの原因がＩＦＧの挿抜のみであるような非同期の通信網により伝送する場合において、一つの基準クロックを有する送信側から配信された複数の種類の信号を受信側で受信する際に、単一のクロック復元部で受信側の複数の復号器が送信側の各符号器のＳＴＣと同期可能である基準クロック復元方法、パケット多重装置、パケット分離装置及び伝送システムを提供することを目的とする。
【課題を解決するための手段】
【００２０】
上記目的を達成するために、本発明に係る基準クロック復元方法は、伝送フレームにおけるＩＦＧの挿抜により、装置間の処理クロックの違いを吸収しようとするＩＰ網において、パケット分離装置のパケット揺らぎ検出部により得たＩＦＧの挿抜情報に基づき、パケット分離装置内のクロック周波数を変更することによって、パケット多重装置の処理クロックとパケット分離装置の処理クロックを同期させることとした。
【００２１】
具体的には、本発明に係る基準クロック復元方法は、送信側で、固定長のインターフレームギャップ（ＩＦＧ：Ｉｎｔｅｒ  Ｆｒａｍｅ  Ｇａｐ）を挟むように固定長のパケット部を複数並べ、基準クロックに基づき、前記パケット部に信号を格納するパケット多重処理を行い送信した前記伝送フレームを、受信側で、バッファに一時的に保管する際に、前記バッファの保管量が所定範囲に収まるように前記伝送フレームの前記ＩＦＧを挿抜するとともに、前記ＩＦＧの挿抜情報に基づき、周波数を制御して受信側の基準クロックを前記送信側の基準クロックに同期させる。
【００２２】
パケット多重装置から出力された伝送フレームを受信すると、パケット多重装置とパケット分離装置の処理クロックが異なるため、パケット分離装置ではＩＦＧを挿抜させて上記クロック偏差を吸収する。本基準クロック復元方法は、このＩＦＧ挿抜情報を基に受信側の処理クロックの周波数を制御し、送信側の基準クロックに同期させている。
【００２３】
従って、本発明は、一つの基準クロックを有する送信側から配信された複数の種類の信号を受信側で受信する際に、単一のクロック復元部で受信側の複数の復号器が送信側の各符号器のＳＴＣと同期可能である基準クロック復元方法を提供することができる。
【００２４】
本発明に係る基準クロック復元方法は、前記ＩＦＧの挿抜情報が、挿抜が生じた前記ＩＦＧ直前の前記パケット部から次の挿抜が生じた前記ＩＦＧ直前の前記パケット部までの前記パケット部の数を用いて近似した前記ＩＦＧの挿抜が生じる時間間隔であることを特徴とする。
【００２５】
本基準クロック復元方法は、ＩＦＧの挿抜が生じた瞬間を正確に検出することができない場合でも、ＩＦＧの挿抜が生じる時間間隔を近似することができる。
【００２６】
本発明に係るパケット多重装置は、固定長のインターフレームギャップ（ＩＦＧ：Ｉｎｔｅｒ  Ｆｒａｍｅ  Ｇａｐ）を挟むように固定長のパケット部を複数並べて伝送フレームを生成する伝送フレーム生成部と、基準クロックに基づき、前記伝送フレーム生成部が生成した前記伝送フレームの前記パケット部に信号を格納するパケット多重処理を行い、前記パケット部に信号を格納した前記伝送フレームを送信するパケット入替え部と、を備える。
【００２７】
本パケット多重装置は、基準クロックに基づき、挿抜可能なＩＦＧをパケット部間に配置した伝送フレームを形成し、信号をパケット部に格納することで多重処理を行う。受信側でＩＦＧを挿抜すれば、パケット多重装置とパケット分離装置の処理クロック偏差を吸収できる。
【００２８】
従って、本発明は、一つの基準クロックを有する送信側から配信された複数の種類の信号を受信側で受信する際に、単一のクロック復元部で受信側の複数の復号器が送信側の各符号器のＳＴＣと同期可能である伝送フレームを送信可能なパケット多重装置を提供することができる。
【００２９】
本発明に係るパケット多重装置の前記パケット入替え部は、前記信号の伝送レートに基づき前記信号の格納対象とする前記パケット部の数を決定することを特徴とする。
【００３０】
本パケット多重装置は、伝送レートの異なる映像、音声又はデータ信号のパケットの多重に対しても柔軟に対応可能となる。
【００３１】
一方、本発明に係るパケット分離装置は、前記パケット多重装置からの前記伝送フレームを物理層のバッファに一時的に保管し、前記バッファの保管量が所定範囲に収まるように前記伝送フレームの前記ＩＦＧが前記物理層のバッファにて挿抜された箇所を、パケット間隔を測定することにより検出するパケット揺らぎ検出部と、前記パケット揺らぎ検出部が出力する前記ＩＦＧの挿抜情報に基づき、周波数を制御して基準クロックを前記パケット多重装置の基準クロックに同期させるクロック制御部と、クロック制御部が制御している基準クロックを用いて、前記バッファから出力された前記伝送フレームの前記パケット部から格納されている信号を取り出し、前記信号の種別毎に出力する出力先切替部と、を備える。
【００３２】
本パケット分離装置は、パケット多重装置から送信された伝送フレームを受信した際に、パケット多重装置とパケット分離装置間での処理クロック差があることにより生じたＩＦＧ揺らぎを検出し、パケット多重装置内の基準クロックを復元し出力する。
【００３３】
従って、本パケット分離装置は、一つの基準クロックを有する送信側から配信された複数の種類の信号を受信側で受信する際に、単一のクロック復元部で受信側の複数の復号器が送信側の各符号器のＳＴＣと同期可能であるパケット分離装置を提供することできる。
【００３４】
本発明に係るパケット分離装置の前記クロック制御部は、挿抜が生じた前記ＩＦＧ直前の前記パケット部から次の挿抜が生じた前記ＩＦＧ直前の前記パケット部までの前記パケット部の数を用いて近似した前記ＩＦＧの挿抜が生じる時間間隔を前記ＩＦＧの挿抜情報としていることを特徴とする。
【００３５】
本パケット分離装置は、ＩＦＧの挿抜が生じた瞬間を正確に検出することができない場合でも、ＩＦＧの挿抜が生じる時間間隔を近似することができる。
【００３６】
本発明に係る伝送システムは、前記パケット多重装置と、前記パケット分離装置と、を含む。
【００３７】
本伝送システムは、前記パケット多重装置と前記パケット分離装置を備える。従って、本発明は、一つの基準クロックを有する送信側から配信された複数の種類の信号を受信側で受信する際に、単一のクロック復元部で受信側の複数の復号器が送信側の各符号器のＳＴＣと同期可能である伝送システムを提供することができる。
【発明の効果】
【００３８】
本発明は、一つの基準クロックを有する送信側から配信された複数の種類の信号を受信側で受信する際に、単一のクロック復元部で受信側の複数の復号器が送信側の各符号器のＳＴＣと同期可能である基準クロック復元方法、パケット多重装置、パケット分離装置及び伝送システムを提供することができる。
【図面の簡単な説明】
【００３９】
【図１】適応クロック法を用いた伝送システムを説明する図である。
【図２】（ａ）伝送フレームの構造を説明する図である。（ｂ）パケット部の構造を説明する図である。
【図３】本発明に係る基準クロック復元方法を説明する図である。
【図４】本発明に係る伝送システムを説明する図である。
【図５】本発明に係るパケット多重装置を説明する図である。
【図６】（ａ）伝送フレームの構造を説明する図である。（ｂ）パケット部の構造を説明する図である。
【図７】本発明に係るパケット分離装置を説明する図である。
【図８】ＩＦＧ挿抜間隔算出方法の概要を説明する図である。
【発明を実施するための形態】
【００４０】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００４１】
本実施形態の伝送システムは、パケット多重装置と、パケット分離装置と、を含む。伝送システムは、例えば、ＴＳパケットを配信網の上流にあるＨＥ（Ｈｅａｄ−Ｅｎｄ）からブロードキャストし、通常のＩＰ網のような輻輳による揺らぎが発生せず、かつ、輻輳以外の揺らぎの原因がＩＦＧの挿抜のみであるような非同期のイーサネット（登録商標）網により伝送する場合に適用される。
【００４２】
パケット多重装置は、固定長のＩＦＧを挟むように固定長のパケット部を複数並べて伝送フレームを生成する伝送フレーム生成部と、基準クロックに基づき、前記伝送フレーム生成部が生成した前記伝送フレームの前記パケット部に信号を格納するパケット多重処理を行い、前記パケット部に信号を格納した前記伝送フレームを送信するパケット入替え部と、を備える。
【００４３】
パケット多重装置は、外部クロックを入力するポートを有し、入力クロックの周波数を逓倍して（逓倍率：Ａ）生成した基準クロックで多重等の処理を行う機能を有する。さらに、パケット多重装置は、固定長のパケット部（９１、９２）と固定長のＩＦＧ９３からなる図２（ａ）のような伝送フレームを内部において生成する機能を有する。この伝送フレームは、パケット部とＩＦＧ９３を交互に配列している。伝送フレームのパケット部は、ヘッダパケット部９１又は伝送する信号を格納するコンテンツパケット部９２である。図２（ｂ）はこのパケット部の構造を説明する図である。パケット部は、プリアンブルとＳＦＤ（Ｓｔａｒｔ  Ｆｒａｍｅ  Ｄｅｌｉｍｉｔｅｒ）（図において“Ｐｒｅａｍｂｌｅ＋ＳＦＤ”）、宛先アドレス（図において“ＤＡ”）、送信元アドレス（図において“ＳＡ”）、ＶＬＡＮ（Ｖｉｒｔｕａｌ  ＬＡＮ）タグヘッダ（図において“ＶＬＡＮ”）、長さとタイプ（図において“Ｔｙｐｅ／Ｌｅｎｇｔｈ”）、データ（図において“Ｐａｙｌｏａｄ”）、ＦＣＳ（Ｆｒａｍｅ  Ｃｈｅｃｋ  Ｓｅｑｕｅｎｃｅ）のフィールドを持つ。
【００４４】
プリアンブルは、ＬＡＮに接続しているインタフェースに伝送フレーム送信の開始を認識させ、同期をとるタイミングを与えるための信号である。ＳＦＤは、その次のビットから宛先アドレス部が始まることを示す。例えば、プリアンブルが７バイト、ＳＦＤが１バイトである。
【００４５】
宛先アドレスは、宛先となるステーションのインタフェースのＭＡＣアドレスである。例えば、宛先アドレスは６バイトである。送信元アドレスは、伝送フレームを送信したインタフェースのＭＡＣアドレスである。例えば、送信アドレスは６バイトである。
【００４６】
ＶＬＡＮタグヘッダは、スイッチングハブが利用するＶＬＡＮ用のタグヘッダが指定される（例えば、ＩＥＥＥ８０２．１Ｑを参照。）。本実施形態では、信号を多重する際の多重番号が記載される。例えば、ＶＬＡＮタグヘッダは４バイトである。
【００４７】
長さとタイプは、次のデータフィールドに格納される信号の長さとタイプが指定される。例えば、長さとタイプは２バイトである。データは、送信する信号が格納される。ＦＣＳは、伝送フレームのエラーを検出する値が入力される。例えば、その値は、宛先アドレス、送信元アドレス、長さ／タイプ、データの各フィールドから計算したＣＲＣ（Ｃｙｃｌｉｃ  Ｒｅｄｕｎｄａｎｃｙ  Ｃｈｅｃｋ）値である。受信側でも同様にＣＲＣを計算し、ＦＣＳフィールドの値と一致しない場合はエラーが発生したと判断し、その伝送フレームを破棄する。例えば、ＦＣＳは４バイトである。
【００４８】
このとき、パケット部は、ヘッダパケット部とコンテンツパケット部であり、伝送フレームは一つのヘッダパケット部と複数のコンテンツパケット部（個数：Ｍ個）から構成される。これらヘッダパケット部および各コンテンツパケット部内のＶＬＡＮフィールドには伝送フレーム内の位置情報を示す固有の番号（多重番号）が定義されている。
【００４９】
ＴＴＳパケットが複数個格納された信号は各符号器から出力され、パケット多重装置内部において予め決められた多重番号のコンテンツパケット部に格納される。このとき、前記パケット入替え部は、前記信号の伝送レートに基づき前記信号の格納対象とする前記パケット部の数を決定する。高速な映像、音声及びデータ信号について、複数の多重番号を割り当てることにより伝送レートの異なる映像、音声及びデータ信号の多重に対しても柔軟に対応可能となる。
【００５０】
一方、パケット分離装置は、前記パケット多重装置からの前記伝送フレームを物理層のバッファに一時的に保管し、前記バッファの保管量が所定範囲に収まるように前記伝送フレームの前記ＩＦＧが前記物理層のバッファにて挿抜された箇所を、パケット間隔を測定することにより検出するパケット揺らぎ検出部と、前記パケット揺らぎ検出部が出力する前記ＩＦＧの挿抜情報に基づき、周波数を制御して基準クロックを前記パケット多重装置の基準クロックに同期させるクロック制御部と、クロック制御部が制御している基準クロックを用いて、前記バッファから出力された前記伝送フレームの前記パケット部から格納されている信号を取り出し、前記信号の種別毎に出力する出力先切替部と、を備える。
【００５１】
パケット分離装置は、パケット多重装置から送信された伝送フレームを受信し、パケット多重装置との処理クロック差があることにより生じたＩＦＧ揺らぎを検出することにより、パケット多重装置内の処理クロック周波数を復元し、さらにはパケット多重装置の基準クロックを復元し出力する。
【００５２】
パケット多重装置から出力された伝送フレームを受信すると、パケット多重装置とパケット分離装置の処理クロックが異なるため、パケット分離装置はＩＦＧを挿抜させて上記クロック偏差を吸収する。例えば、ＩＥＥＥ８０２．３では上記ＩＦＧの伸縮は物理層において４バイト単位で行うように規定されている。この動作は物理層内のクロック偏差吸収バッファ内にパケットをバッファリングし、バッファ量の時間的変化を監視しバッファが破綻しないよう制御するものである。
【００５３】
例えば、パケット多重装置の処理クロック周波数がパケット分離装置に比べ高い場合、パケット分離装置内のバッファがオーバーフローするため、パケット分離装置は、バッファにオーバーフローの閾値を設定し、その閾値を越えた場合４バイトのＩＦＧを削除する。
【００５４】
一方、パケット多重装置の処理クロック周波数がパケット分離装置に比べ低い場合、バッファがアンダーフローするため、パケット分離装置は、バッファにアンダーフローの閾値を設定し、その閾値を下回った場合４バイトのＩＦＧを挿入する。
【００５５】
図３は、本実施形態の基準クロック復元方法を説明する処理フローである。本基準クロック復元方法は、次の通りである。パケット分離装置にパケットが入力すると（ステップＳ０１）、パケット揺らぎ検出部が一つ前のパケットとの間隔が設定値か否かを判断する（ステップＳ０２）。パケット揺らぎ検出部は、一つ前のパケットとの間隔を観測することでＩＦＧの挿抜を判断できる。パケット揺らぎ検出部が、一つ前のパケットとの間隔が設定値であると判断した場合、クロック制御部はクロック周波数の調整を行わない（ステップＳ０３）。パケット揺らぎ検出部は、一つ前のパケットとの間隔が変化したとき、その間隔が伸びたか否かを判断する（ステップＳ０４）。その間隔が縮んだ場合、すなわち４バイトのＩＦＧ削除を検出した場合、クロック制御部は、パケット分離装置の処理クロック周波数を大きくする（ステップＳ０６）。一方、その間隔が伸びた場合、すなわち４バイトのＩＦＧの挿入を検出した場合、クロック制御部は、パケット分離装置の処理クロック周波数を小さくする（ステップＳ０５）。このように、本実施形態の基準クロック復元方法は、パケット多重装置とパケット分離装置の処理クロック周波数を同期させることができる。
【００５６】
また、パケット多重装置が入力ポートから入力された基準クロックを逓倍率Ａで逓倍して処理クロックを生成させた場合、パケット分離装置は逓倍率Ａの逆数１／Ａで処理クロックを逓倍して基準クロックとし、パケット分離装置から複数の復号器へその基準クロックを出力してもよい。パケット多重装置で生成した処理クロックは基準クロックをＡ倍することにより生成させたものであるため、パケット分離装置で復元した処理クロックを１／Ａ倍して生成したクロックはパケット多重装置に入力させた基準クロックと同期することになる。
【００５７】
本クロック同期方式は、伝送フレーム内のパケット部間のＩＦＧの伸縮を検出することのみで可能であり、適応クロック法のようなバッファ監視を用いた制御を行う必要がない。このため、本クロック同期方式は、パケットのクロック再生処理に伴うクロック同期までの時間を小さくすることが可能である。
【００５８】
また、パケット分離装置は、受信した伝送フレームのコンテンツパケット部内のＶＬＡＮフィールドに記入されている多重番号を検出し、分離すべき番号である場合、予め指定されたポートへ、コンテンツパケット部内の信号を出力させることで多重された信号を分離することができる。
【００５９】
本実施形態のパケット多重装置及びパケット分離装置は、一つの基準クロックを有する放送局等が複数の映像、音声及びデータ信号を遠隔地に送信する場合でも、一つのクロック復元処理のみで、受信側の複数の復号器が送信側の個々の符号器のＳＴＣに対応するＳＴＣを使用することができ、受信側にクロック復元装置を複数設置する必要がなくなる。
【００６０】
（実施例）
図４は、本実施例の伝送システム３０１を示す図である。伝送システム３０１は、送信側２００にパケット多重装置２０１と、受信側２５０にパケット分離装置２５１と、を含む。送信側２００は、一つの共通の基準クロック２０３で動作するＮ個の符号器２０２を有する放送局とパケット多重装置２０１を有する。受信側２５０は、パケット分離装置２５１と、パケット分離装置２５１が出力する基準クロック２５３で動作するＮ個の復号器２５２を有する。
【００６１】
伝送システム３０１は、一つの共通の基準クロック２０３で動作するＮ個の符号器２０２を有する放送局に遠隔地に向けて全ての映像、音声及びデータ信号を伝送させ、それぞれの符号器２０２と復号器２５２のＳＴＣを同期させることを目的とする。
【００６２】
例えば、符号器２０２とパケット多重装置２０１とのインタフェースは１ＧＥ（ｏｎｅ  Ｇｉｇａｂｉｔ  Ｅｔｈｅｒｎｅｔ（登録商標））、復号器２０２とパケット分離装置２５１とのインタフェースは１ＧＥ、パケット多重装置とパケット分離装置とのインタフェースは１０ＧＥ（Ｔｅｎ  Ｇｉｇａｂｉｔ  Ｅｔｈｅｒｎｅｔ（登録商標））である。
【００６３】
符号器２０２は複数のＴＳパケットを一つのパケット（例えば、イーサネット（登録商標）パケット）に格納し出力している。このとき、ＴＳパケットの時間間隔を保持するためにＴＳパケットにはタイムスタンプが付与されたＴＴＳが用いられる。また、タイムスタンプに用いられているクロック周波数は基準クロックから生成された２７ＭＨｚが用いられている。
【００６４】
パケット多重装置２０１は、図２のような伝送フレームを生成する。パケット多重装置２０１は、各符号器２０２から出力されたパケットを予め決められた多重番号の伝送フレーム内のコンテンツパケット部に多重し、伝送フレームを出力する。例えば、ＩＥＥＥ８０２．３において規定されているように、１０ＧＥの内部処理は１５６．２５ＭＨｚの周波数をもつ基準クロック２０３を用いて６４ｂｉｔパラレル処理される。
【００６５】
パケット多重装置２０１は、符号器２０２が使用する基準クロック２０３が入力されており、基準クロック２０３を逓倍することにより１０ＧＥの処理クロックを生成する。放送では映像及び音声信号を乱れずに伝送させるため、基準クロック２０３には高精度な周波数が要求されている。デジタル放送の場合、基準クロック２０３としてルビジウム発信器を用いた１０ＭＨｚのクロックを用いるのが一般的である。そこで本実施例においても基準クロック２０３の周波数は１０ＭＨｚとする。
【００６６】
図５は、パケット多重装置２０１を説明する図である。パケット多重装置２０１は、固定長のＩＦＧを挟むように固定長のパケット部を複数並べて伝送フレームを生成する伝送フレーム生成部１２と、基準クロック２０３に基づき、伝送フレーム生成部１２が生成した前記伝送フレームの前記パケット部に信号を格納するパケット多重処理を行い、前記パケット部に信号を格納した前記伝送フレームを送信するパケット入替え部１４と、を備える。
【００６７】
パケット多重装置２０１は、１ＧＥのポートから入力された映像、音声及びデータ信号を、伝送フレームに多重する多重部１０と、外部入力された基準クロック２０３から多重部の処理クロックを生成するクロック変換部２０を持つ。
【００６８】
クロック変換部２０の周波数変換部２１では入力された基準クロック２０３を逓倍し、そのクロックを処理クロックとして多重部１０へ送出する。入力された基準クロック２０３が１０ＭＨｚ、多重部１０の処理クロックが１５６．２５ＭＨｚである場合には、逓倍率Ａは１５６．２５／１０＝１２５／８となる。
【００６９】
多重部１０は、各符号化器２０２より送出された映像、音声及びデータ信号を格納した各パケットが入力される。パケット入替え部１４は、各パケットを伝送フレーム生成部１２で生成された伝送フレームの固定位置に搭載し、多重を行う。
【００７０】
まず、多重待機部１５は、予め指定されたコンテンツパケット部が伝送フレーム生成部１２から出力されるまでパケットをポート毎にバッファリングする。多重番号識別部１３は、伝送フレーム生成部１２から出力された伝送フレームの各コンテンツパケット部のＶＬＡＮフィールドに記載されている多重番号を識別する。このとき、識別した多重番号が多重位置テーブル１１に記載され、かつポート毎に異なる多重番号と一致した場合、多重番号識別部１３は、そのポートに該当する多重待機部１５に対し、後段の多重番号付与部１６へパケットを出力するように指示する。
【００７１】
多重番号付与部１６は、多重待機部１５から送出されたパケットにＶＬＡＮフィールドに指定の多重番号を付与する。パケット入替え部１４は、多重番号識別部１３が出力した伝送フレームのパケット部を多重番号付与部１６から到着した同じ多重番号のパケットに入れ替える。本処理が複数のパケットストリームに対して行われることで、複数パケットが伝送フレームへ多重される。
【００７２】
パケット入替え部１４から出力された伝送フレームは後段のパケット分離装置へと送出される。
【００７３】
図６（ａ）は、パケット多重装置２０１が送信する伝送フレーム構造を説明する図である。伝送フレームは、一つのヘッダパケット部９１と複数のコンテンツパケット部９２から構成される。図６（ｂ）は、ヘッダパケット部９１およびコンテンツパケット部９２の構造を説明する図である。ヘッダパケット部９１およびコンテンツパケット部９２のサイズはそれぞれ３３６バイト及び１５３６バイトの固定長とし、これらパケット間のＩＦＧ９３は、前述したようにＩＦＧの挿抜処理が４バイト単位で行われるため、その倍数である６４バイトとしている。
【００７４】
伝送フレーム内のコンテンツパケット部９２数は伝送する映像、音声及びデータ信号の数、若しくは伝送容量により自由に設定してよい。本例では７８１個の場合で説明する。伝送フレーム内の一つのコンテンツパケット部９２に一つの映像、音声又はデータ信号のストリームを割り当てる場合、１ストリーム当たり約１０Ｍｂｐｓとなる。また複数のコンテンツパケット部９２を割り当てれば、地上デジタル放送１ｃｈ（約１７Ｍｂｐｓ）、ＢＳデジタル放送１ｃｈ（約２３Ｍｂｐｓ）、さらには、より高精細な１００Ｍｂｐｓを超える伝送レートを有する映像、音声及びデータ信号も柔軟に対応することが可能となる。
【００７５】
図７は、パケット分離装置２５１を説明する図である。パケット分離装置２５１は、パケット多重装置からの前記伝送フレームを物理層のバッファに一時的に保管し、前記バッファの保管量が所定範囲に収まるように前記伝送フレームの前記ＩＦＧが前記物理層のバッファにて挿抜された箇所を、パケット間隔を測定することにより検出するパケット揺らぎ検出部３２と、パケット揺らぎ検出部３２が出力するＩＦＧの挿抜情報に基づき、周波数を制御して基準クロックをパケット多重装置２０１の基準クロックに同期させるクロック制御部４１と、クロック制御部４１が制御している基準クロックを用いて、バッファから出力された伝送フレームのパケット部から格納されている信号を取り出し、信号の種別毎に出力する出力先切替部３４と、を備える。
【００７６】
パケット分離装置２５１は、物理層チップ（不図示）と、分離位置テーブル３１、パケット揺らぎ検出部３２、多重番号識別部３３、出力先切替部３４、及び多重番号削除部３５を有する分離部３０と、クロック制御部４１、クロック調整部４２、及び周波数変換部４３を有する基準クロック生成部４０と、を持つ。
【００７７】
パケット多重装置２０１から出力された伝送フレームはパケット揺らぎ検出部３２へ入力される。分離部３０において用いられる処理クロックは、パケット分離装置２５１起動時にパケット多重装置２０１の処理クロックと同期が取れていないため、物理層チップは、処理クロックの違いを解消するように伝送フレームのＩＦＧを挿抜する。従って、受信した伝送フレームのパケット部間隔、すなわちパケットの到着時刻が揺らぐ。
【００７８】
パケット揺らぎ検出部３２は、このパケット到着時刻の揺らぎを検出する。具体的には、パケット揺らぎ検出部３２は、受信したパケット部と、そのひとつ前に到着したパケット部との間隔を測定し、その値が予め指定されているパケット部間隔ではないことを検出した場合、後段のクロック制御部４１にＩＦＧ挿抜情報を送出する。ここで、ＩＦＧ挿抜情報とは、ＩＦＧが挿入されていた又は削除されていたという情報、挿抜バイト数の情報、及び一つ前の挿抜が生じた時点から今回挿抜が発生したときまでの時間情報、の３つである。
【００７９】
クロック制御部４１は、パケット揺らぎ検出部３２から送信されてきたＩＦＧ挿抜情報を基にクロック調整部４２が出力する処理クロックの周波数を制御する。具体的には、ＩＦＧが挿入されたというＩＦＧの挿抜情報の場合には、パケット分離装置２５１の処理クロック周波数はパケット多重装置２０１の処理クロック周波数と比べ大きいと想定されるので、クロック制御部４１は、クロック調整部４２が出力する処理クロックの周波数を減少させる。一方、ＩＦＧが削除されたというＩＦＧの挿抜情報の場合には、パケット分離装置２５１の処理クロック周波数はパケット多重装置２０１の処理クロック周波数と比べ小さいと想定されるので、クロック制御部４１は、クロック調整部４２が出力する処理クロックの周波数を増加させる。クロック調整部４２が行う処理クロックの周波数の増加量又は減少量は一定値でも可変値でもよい。
【００８０】
図８は、ＩＦＧ挿抜間隔算出方法を説明する図である。伝送フレーム内のヘッダパケット部はコンテンツパケット部の数に比べ非常に少ないので、処理クロックの周波数調整量を算出するのに無視できるものとする。
【００８１】
一つ前の挿抜が生じた時点から今回挿抜が発生したときまでの時間（Ｔｉｎｔｅｒｖａｌ［ｓｅｃ］）とパケット多重装置２０１とパケット分離装置２５１との処理クロックの周波数差（Δｆ［Ｈｚ］）の関係は以下のように求められる。
【００８２】
ＩＦＧの挿抜はＩＥＥＥ．８０２．３によると、１０ＧＥにおいては４バイト単位で生じる。つまり、ＩＦＧの挿抜が生じる時間間隔はバッファの蓄積量がオーバーフロー若しくはアンダーフローとなる閾値に比べ４バイト離れた蓄積量より再度閾値に到達するまでの時間である。従って、ＩＦＧの挿抜が生じる時間間隔Ｔｉｎｔｅｒｖａｌは、
Ｔｉｎｔｅｒｖａｌ  ＝  ４×８／（｜Δｆ｜×８×８）
＝  １／（２×｜Δｆ｜）                      ・・・（１）
となる。
【００８３】
また、Δｆは
｜Δｆ｜  ＝  １／（２×Ｔｉｎｔｅｒｖａｌ）                      ・・・（２）
となる。
【００８４】
一方、Δｆはパケット多重装置の処理クロック（ｆｔｘ［Ｈｚ］）とパケット分離装置の処理クロック（ｆｒｘ  ［Ｈｚ］）を用いると
Δｆ  ＝  ｆｔｘ−ｆｒｘ                                          ・・・（３）
と表すことができる。
【００８５】
しかし、パケット揺らぎ検出部３２ではＩＦＧのバイト数を数える機能のみのため、ＩＦＧの挿抜が生じた瞬間を正確に検出することはできない。そこで、パケット分離装置２５１は、ＩＦＧの挿抜が起きているＩＦＧの直前のパケットに着目し、それらパケット間のパケット数を用いてＩＦＧの挿抜が生じる時間間隔を近似する。具体的には、クロック制御部４１は、挿抜が生じたＩＦＧ直前のパケット部から次の挿抜が生じたＩＦＧ直前のパケット部までのパケット部の数を用いて近似したＩＦＧの挿抜が生じる時間間隔をＩＦＧの挿抜情報としている。
【００８６】
伝送システム３０１での伝送フレームにおいて、コンテンツパケット部間のバイト数は１６００バイトである。従って、ＩＦＧの挿抜がない場合、パケット分離装置２５１で受信したコンテンツパケット部間隔Ｔｐは、
Ｔｐ  ＝  （１６００×８）／（（ｆｒｘ）×８×８）  
＝  ２００／ｆｒｘ                                          ・・・（４）
となる。
【００８７】
ここで、パケット分離装置２５１において生じたＩＦＧが挿抜する間に存在するパケット数（Ｎｉｎｔｅｒｖａｌ）は（１）、（４）式を用いて、
Ｎｉｎｔｅｒｖａｌ
＝  Ｔｉｎｔｅｒｖａｌ／Ｔｐ
＝  （１／（２×｜Δｆ｜））／（２００／ｆｒｘ）
＝  ｆｒｘ／（｜Δｆ｜×４００）                                ・・・（５）
となる。
【００８８】
従って、パケット多重装置２０１とパケット分離装置２５１との処理クロックの周波数差｜Δｆ｜は、
｜Δｆ｜  ＝  ｆｒｘ／（Ｎｉｎｔｅｒｖａｌ×４００）              ・・・（６）
となる。
【００８９】
例えば、ｆｒｘはイーサネット（登録商標）の規格より１５６．２５ＭＨｚより±１００ｐｐｍ以下の誤差の周波数であると規定されているため、ｆｒｘを１５６．２５ＭＨｚと近似することができて、
｜Δｆ｜  ≒
（１５６．２５×１０６）／（Ｎｉｎｔｅｒｖａｌ×４００）        ・・・（７）
となる。
【００９０】
さらにＮｉｎｔｅｒｖａｌはコンテンツパケット部数となるため、実際の検出は自然数Ｎｉｎｔｅｒｖａｌ’である。従って、
Ｎｉｎｔｅｒｖａｌ’＝  ［Ｎｉｎｔｅｒｖａｌ］                    ・・・（８）
となる。
【００９１】
ここで、処理クロック周波数はＩＥＥＥ８０２．３により±１００ｐｐｍの範囲内となるため、Ｎｉｎｔｅｒｖａｌのとりうる値の最小値はパケット多重装置２０１とパケット分離装置２５１との間の処理クロック偏差が２００ｐｐｍの場合となる。そのときのＮｉｎｔｅｒｖａｌの値は１２．７６・・となり、小数点以下はＮｉｎｔｅｒｖａｌの値に対して誤差と考えることができる。
【００９２】
よって、（８）式を以下に近似することができる。
Ｎｉｎｔｅｒｖａｌ’  ＝  Ｎｉｎｔｅｒｖａｌ                      ・・・（９）
従って、（７）、（９）式を用いてパケット多重装置２０１とパケット分離装置２５１との処理クロックの周波数差は以下の式表すことができる。
｜Δｆ｜  ≒
（１５６．２５×１０６）／（Ｎｉｎｔｅｒｖａｌ’×４００）    ・・・（１０）
さらに符号識別子Ｆｌａｇを用いることで、
Δｆ    ＝ｆｔｘ−ｆｒｘ
＝Ｆｌａｇ×（１５６．２５×１０６）／（Ｎｉｎｔｅｒｖａｌ’×４００）
・・・（１１）
とすることができる。
【００９３】
以上より、ｆｒｘは、
ｆｒｘ 
＝ｆｔｘ
−Ｆｌａｇ×（１５６．２５×１０６）／（Ｎｉｎｔｅｒｖａｌ’×４００）
・・・（１２）
となり、Ｆｌａｇは、
Ｆｌａｇ
＝（ｆｔｘ  −ｆｒｘ  ）×（Ｎｉｎｔｅｒｖａｌ’×４００）／（１５６．２５×１０６）                                                        ・・・（１３）
となる。Ｆｌａｇの大きさは１となるように定義し、(１３)式のパラメータＮｉｎｔｅｒｖａｌ’が（５）式より必ず正の値をとるため、Ｆｌａｇは、大きさが１、符号は（ｆｔｘ−ｆｒｘ）と同じということになる。
【００９４】
パケット揺らぎ検出部３２がＩＦＧの挿入を検出した場合、パケット分離装置２５１内の処理クロック周波数差に関する偏差吸収バッファがアンダーフローしたことを意味する。つまり、ｆｒｘ＞ｆｔｘとなるため（１３）式よりＦｌａｇ＝−１となる。Ｆｌａｇ＝−１の場合、クロック制御部４１はクロック調整部４２のクロック周波数を速くする処理を行い、パケット多重装置２０１の処理クロックにパケット分離装置２５１の処理クロックを同期させる。
【００９５】
一方、パケット揺らぎ検出部３２がＩＦＧの削除を検出した場合、パケット分離装置２５１内の処理クロック周波数差に関する偏差吸収バッファがオーバーフローしたことを意味する。つまり、ｆｒｘ＜ｆｔｘとなるため（１３）式よりＦｌａｇ＝＋１となる。Ｆｌａｇ＝＋１の場合、クロック制御部４１はクロック調整部４２のクロック周波数を遅くする処理を行い、パケット多重装置２０１の処理クロックにパケット分離装置２５１の処理クロックを同期させる。
【００９６】
このように、クロック制御部４１はＩＦＧの挿抜情報を用いてパケット分離装置２５１のクロック周波数を調整することが可能となる。この周波数の調整をＩＦＧの挿抜が生じる毎に行うことで処理クロックｆｒｘはパケット多重装置２０１の処理クロックｆｔｘに収束する。
【００９７】
また、クロック調整部４２で調整した処理クロック（１５６．２５ＭＨｚ）は後段の周波数変換部４３にも出力される。周波数変換部４３はＰＬＬなどを用いて、１０ＭＨｚの基準クロック周波数を生成する。このとき逓倍率はパケット多重装置２０１で用いた逓倍率Ａの逆数である１／Ａを用いること、及びクロック調整部４２が調整した処理クロックｆｒｘがパケット多重装置２０１の処理クロックｆｔｘと同期するように調整されるということを勘案すると、周波数変換部４３から出力された基準クロックはパケット多重装置２０１に入力された基準クロックと同期する。
【００９８】
一方、パケット揺らぎ検出部３２は、伝送フレームをそのまま多重番号識別部３３へ出力する。多重番号識別部３３は、伝送フレーム内の各コンテンツパケット部に格納される信号がどの出力ポートに出力されるべきかという分離位置テーブル３１の情報を基に、受信したコンテンツパケット部の多重番号を認識し、出力するべきポートを識別する。このとき、多重番号識別部３３が識別した多重番号が分離位置テーブル３１の情報にない場合、そのコンテンツパケット部の信号は削除される。
【００９９】
多重番号識別部３３は出力ポートの識別後、後段の出力先切替部３４に指定のポートに出力されるべきコンテンツパケット部の信号及び出力先ポート情報を同時に送出する。出力先切替部３４は、その情報を基に出力先を切替え、当該コンテンツパケット部の信号を各出力ポートへ出力する。出力ポートから出力された信号は、後段の多重番号削除部３５へ入力される。
【０１００】
多重番号削除部３５では、パケット多重装置２０１において、映像、音声及びデータ信号のコンテンツパケットのＶＬＡＮフィールドに付与された多重番号情報の削除を行い、パケット多重装置２０１に入力されたパケットと同じパケットを復元する。
【０１０１】
以上のように、分離部３０は映像、音声及びデータ信号のパケットを分離し、指定のポートから出力する。
【０１０２】
本実施例では、パケット間隔が１６００バイトの場合について説明したが、パケット間隔が１６００バイト以外の固定長の伝送フレームを作成する場合には、上述した数式で“４００（＝１６００／４）”と記載されている部分が、パケット間隔バイト数／４と変化するだけで、計算方法は変わらない。
【産業上の利用可能性】
【０１０３】
一つの基準クロックを有する放送局が複数の映像、音声及びデータ信号を配信する場合において利用される。また、本発明を用いれば、配信時に複数の中継局を介して映像、音声及びデータ信号を配信する場合にも一つの基準を各中継局にて復元することが可能となる。
【符号の説明】
【０１０４】
１０：多重部
１１：多重位置テーブル
１２：伝送フレーム生成部
１３：多重番号識別部
１４：パケット入替え部
１５：多重待機部
１６：多重番号付与部
２０：クロック変換部
２１：周波数変換部
３０：分離部
３１：分離位置テーブル
３２：パケット揺らぎ検出部
３３：多重番号識別部
３４：出力先切替部
３５：多重番号削除部
４０：基準クロック生成部
４１：クロック制御部
４２：クロック調整部
４３：周波数変換部
９１：ヘッダパケット部
９２：コンテンツパケット部
９３：ＩＦＧ
１５０：伝送路
２００：送信側
２０１：パケット多重装置
２０２：符号器
２０３：基準クロック
２５０：受信側
２５１：パケット分離装置
２５２：復号器
２５３：基準クロック
３０１：伝送システム
【図１】
0005411065.tif 000002
【図２】
0005411065.tif 000003
【図３】
0005411065.tif 000004
【図４】
0005411065.tif 000005
【図５】
0005411065.tif 000006
【図６】
0005411065.tif 000007
【図７】
0005411065.tif 000008
【図８】
0005411065.tif 000009